(57)【特許請求の範囲】
【請求項１】
表側生地と裏側生地とを夫々の周縁部に沿って縫い合わせることにより形成した袋体と、前記袋体の内部に縫い付けたマチ布によって複数の空間を区画形成し、且つ複数の前記空間のそれぞれに繊維系の詰め物を充填した布団であって、
前記マチ布は、一側端部を前記表側生地の内面に対して前記マチ布の長手方向に沿って縫い付けられる表側マチ布片と、一側端部を前記裏側生地の内面に対して前記マチ布の長手方向に沿って縫い付けられる裏側マチ布片と、を備えると共に、前記表側マチ布片と前記裏側マチ布片の他の一側端部同士を前記マチ布の長手方向に沿って縫合した構成を備え、
前記表側マチ布片と前記表側生地の内面との縫合部、又は前記裏側マチ布片と前記裏側生地の内面との縫合部のうちの少なくとも一方は、拡開された縫い目穴からの前記詰め物の漏出を防止するサポート布片を介在させた多重縫合部となっていることを特徴とする布団。
【請求項２】
前記表側マチ布片、又は前記裏側マチ布片は、
前記表側生地の内面、又は前記裏側生地の内面と交差して配置されるマチ布片本体と、
該マチ布片本体の一側端部側の適所に前記マチ布の長手方向に沿って設けた第１の屈曲部において一方向に屈曲させた第１の屈曲片と、
該第１の屈曲片の先端から表側、又は裏側に折り返されて該第１の屈曲片と並行に延び、且つ該第１の屈曲片よりも幅広な第２の屈曲片と、を備え、
前記サポート布片は、前記第１の屈曲片と前記第２の屈曲片との間に配置された状態で前記第１の屈曲部に沿って多重縫合されていることを特徴とする請求項１に記載の布団。
【請求項３】
前記表側マチ布片、又は前記裏側マチ布片は、
前記表側生地の内面、又は前記裏側生地の内面と交差して配置されるマチ布片本体と、
該マチ布片本体の一側端部側の適所に前記マチ布の長手方向に沿って設けた第１の屈曲部において一方向に屈曲させた第１の屈曲片と、
該第１の屈曲片の先端から表側、又は裏側に折り返されて該第１の屈曲片と並行に延び、且つ該第１の屈曲片よりも幅広な第２の屈曲片と、を備え、
前記サポート布片は、前記第２の屈曲片と前記表側生地の内面との間、又は前記第２の屈曲片と前記裏側生地の内面との間に配置された状態で前記第１の屈曲部に沿って多重縫合されていることを特徴とする請求項１に記載の布団。
【請求項４】
前記表側マチ布片、又は前記裏側マチ布片は、通気性を有する帯状布地によって作製され、
前記サポート布片は、前記表側マチ布片、又は前記裏側マチ布片よりも目の細かい生地によって作製されていることを特徴とする請求項１乃至３の何れか一項に記載の布団。
【請求項５】
前記表側マチ布片、又は前記裏側マチ布片は、視認可能な大きさの網目を有する網目織りの帯状布地によって作製され、
前記サポート布片は、帯状の不織布によって作製されていることを特徴とする請求項４に記載の布団。
【請求項６】
請求項１乃至４の何れか一項に記載の布団を構成する前記表側生地の内面、又は前記裏側生地の内面に対して前記表側マチ布片と前記サポート布片、又は前記裏側マチ布片と前記サポート布片とを重ねた状態で多重縫合する縫製部を備えた縫製装置であって、
前記表側マチ布片、又は前記裏側マチ布片を供給するマチ布片供給部と、
前記サポート布片を供給するサポート布片供給部と、
前記マチ布片供給部から供給された前記表側マチ布片、又は前記裏側マチ布片と前記サポート布片供給部から供給された前記サポート布片とを重ねて前記縫製部に案内する案内治具と、
を備えたことを特徴とする縫製装置。
【請求項７】
前記案内治具は、
前記表側マチ布片、又は前記裏側マチ布片が挿通される略Ｊ字状の第１案内空所を区画形成するマチ布片ガイド部を備え、
前記マチ布片ガイド部は、長尺本体と、該長尺本体の一端を湾曲して折り返して形成した短尺折り返し小片とにより前記略Ｊ字状の第１案内空所を形成しており、前記長尺本体と前記短尺折り返し小片との間には前記サポート布片を挿通してガイドする第２案内空所としてのサポート布片ガイド部が形成されており、且つ前記サポート布片ガイド部の開放端縁は閉塞板により閉塞されていることを特徴とする請求項６に記載の縫製装置。
【請求項８】
前記案内治具は、
前記表側マチ布片、又は前記裏側マチ布片が挿通される略Ｊ字状の第１案内空所を区画形成するマチ布片ガイド部と、前記サポート布片が挿通される第２案内空所を区画形成するサポート布片ガイド部と、を備え、
前記マチ布片ガイド部は、長尺本体と、該長尺本体の一端を湾曲して折り返して形成した短尺折り返し小片とにより前記略Ｊ字状の第１案内空所を形成しており、
前記サポート布片ガイド部は、前記短尺折り返し小片の前記長尺本体とは反対側の外面に前記第２案内空所を区画形成することを特徴とする請求項６に記載の縫製装置。
【請求項９】
前記表側マチ布片、又は前記裏側マチ布片は、
前記表側生地の内面、又は前記裏側生地の内面に対して、第１の縫製方向に沿って前記サポート布片とともに多重縫合される第１表側マチ布片、又は第１裏側マチ布片と、
前記第１表側マチ布片及び前記サポート布片が多重縫合された前記表側生地の内面、又は前記第１裏側マチ布片及び前記サポート布片が多重縫合された前記裏側生地の内面に対して、前記第１の縫製方向と交差する第２の縫製方向に沿って前記サポート布片とともに多重縫合される第２表側マチ布片、又は第２裏側マチ布片と、
を有し、
前記縫製部よりも前記第２の縫製方向の上流側には、前記第２表側マチ布片と前記サポート布片の組、又は前記第２裏側マチ布片と前記サポート布片の組を前記表側生地の内面、又は前記裏側生地の内面に対して多重縫合しているときに、前記第１表側マチ布片と前記サポート布片の組、又は前記第１裏側マチ布片と前記サポート布片の組の一部分を、前記第２の縫製方向に沿って切断する切断部をさらに備えたことを特徴とする請求項６乃至８の何れか一項に記載の縫製装置。
【発明の詳細な説明】
【技術分野】
【０００１】
本発明は、詰め物の漏出防止構造を備えた布団、及びマチ布片とサポート布片とを多重縫合する縫製装置に関する。
【背景技術】
【０００２】
布団には、表側生地と裏側生地とを夫々の周縁部に沿って縫い合わせることにより形成した袋体の内部空間に、羽毛、羊毛、及び綿等の繊維状詰め物を充填したものがある。袋体の内部空間に詰め物を充填した布団には、詰め物の偏りを抑制し、且つ内部空間の高さを確保するため、袋体の内部にマチ布（マチテープ）を縫い付けて複数の空間を区画形成し、夫々の空間に詰め物を充填したものがある。このような布団は、例えば立体キルトや二層式キルトと呼ばれている。
袋体の内部にマチ布を縫い付けた布団では、布団の使用に伴ってマチ布と側生地とを縫い合わせている糸に張力が掛かり、側生地の縫い目穴が拡がってしまうことがある。縫い目穴が拡がってしまうと、内部空間に充填された詰め物が縫い目穴を通じて布団の外部に漏れ出てしまう不都合が生じ得た。
出願人は、拡開された縫い目穴を通じて詰め物が布団の外部に漏れ出てしまう不都合を抑制するため、マチ布の一側端部を二つ折りにし、二つ折り部分を側生地の内面に縫い付けた布団を開発した（特許文献１を参照）。
【先行技術文献】
【特許文献】
【０００３】
【特許文献１】特開２０００−６０６８６公報
【発明の概要】
【発明が解決しようとする課題】
【０００４】
特許文献１に記載された布団は、マチ布を表側生地や裏側生地に対して縫い付けただけの布団と比較して詰め物の布団外部への漏出を抑制できるが、当該詰め物の布団外部への漏出をさらに抑制することが求められていた。
本発明は、このような事情に鑑みてなされたものであり、その目的は、詰め物の布団外部への漏出を抑制することにある。
【課題を解決するための手段】
【０００５】
上記課題を解決するために、本発明は、表側生地と裏側生地とを夫々の周縁部に沿って縫い合わせることにより形成した袋体と、前記袋体の内部に縫い付けたマチ布によって複数の空間を区画形成し、且つ複数の前記空間のそれぞれに繊維系の詰め物を充填した布団であって、前記マチ布は、一側端部を前記表側生地の内面に対して前記マチ布の長手方向に沿って縫い付けられる表側マチ布片と、一側端部を前記裏側生地の内面に対して前記マチ布の長手方向に沿って縫い付けられる裏側マチ布片と、を備えると共に、前記表側マチ布片と前記裏側マチ布片の他の一側端部同士を前記マチ布の長手方向に沿って縫合した構成を備え、前記表側マチ布片と前記表側生地の内面との縫合部、又は前記裏側マチ布片と前記裏側生地の内面との縫合部のうちの少なくとも一方は、拡開された縫い目穴からの前記詰め物の漏出を防止するサポート布片を介在させた多重縫合部となっていることを特徴とする。
【発明の効果】
【０００６】
本発明によれば、表側生地と裏側生地とを縫い合わせた袋体の内部空間をマチ布によって区画した布団において、詰め物の布団外部への漏出を抑制することができる。
【図面の簡単な説明】
【０００７】
【図１】本発明の一実施形態に係る布団の一部分を断面で示した斜視図である。
【図２】マチ布周辺の部分拡大断面図である。
【図３】詰め物を充填した状態のマチ布周辺の部分拡大断面図である。
【図４】（ａ）は縫い目穴が拡がる前の糸周辺を説明する図、（ｂ）は縫い目穴が拡がった状態の糸周辺を説明する図である。
【図５】（ａ）はマチ布片及びサポート布片を縫い付けた状態の側生地を説明する図、（ｂ）は縦マチ布片及び縦サポート布片と横マチ布片及び横サポート布片の交差部分を説明する拡大斜視図である。
【図６】縫製装置の概略構成図である。
【図７】縫製部の斜視図である。
【図８】案内治具の斜視図である。
【図９】マチ布片及びサポート布片の側生地への縫い付けを説明する斜視図である。
【図１０Ａ】多重縫合時の説明図であり、縫い針がマチ布片よりも上側に位置している状態を示す。
【図１０Ｂ】多重縫合時の説明図であり、上糸が剣先に引っ掛けられた直後の状態を示す。
【図１０Ｃ】多重縫合時の説明図であり、上糸と下糸とが交差した状態を示す。
【図１０Ｄ】多重縫合時の説明図であり、上糸が剣先から外れる直前の状態を示す。
【図１０Ｅ】多重縫合時の説明図であり、剣先から外れた上糸が引っ張られている状態を示す。
【図１０Ｆ】多重縫合時の説明図であり、上糸と下糸の交差部分が布内に収まった状態を示す。
【図１１】（ａ）乃至（ｅ）は横マチ布片及び横サポート布片の組の一部分を切断機構によって切断する工程の説明図である。
【図１２】第２実施形態に係る布団のマチ布周辺の部分拡大断面図である。
【図１３】第２実施形態に係る案内治具の斜視図である。
【図１４】第２実施形態に係る別の案内治具の斜視図である。
【図１５】第２実施形態に係るマチ布片及びサポート布片の側生地への縫い付けを説明する斜視図である。
【図１６】第２実施形態に係るマチ布片及びサポート布片を縫い付けた側生地を説明する部分拡大断面図である。
【発明を実施するための形態】
【０００８】
以下、本発明の実施形態について、図面を参照して説明する。但し、実施の形態に記載される構成要素、種類、組み合わせ、形状、その相対配置などは特定的な記載がない限り、この発明の範囲をそれのみに限定する主旨ではなく単なる説明例に過ぎない。
図１は本発明の一実施形態に係る布団１の一部分を断面で示した斜視図、図２はマチ布４周辺の部分拡大断面図、図３は詰め物８を充填した状態のマチ布４周辺の部分拡大断面図、図４（ａ）は縫い目穴２ｂが拡がる前の糸７周辺を説明する図、図４（ｂ）は縫い目穴２ｂが拡がった状態の糸７周辺を説明する図である。
なお、図示の都合上、図１乃至図３において、側生地２やマチ布４の各部を湾曲面や平坦面を用いて描いている。しかし、側生地２やマチ布４は柔軟な薄手の布地によって作製されているため、実際には皺が寄ったり波打ったりしている。
【０００９】
＜第１実施形態に係る布団１の特徴＞
図１に示すように、本実施形態に係る布団１は、表側生地２Ａと裏側生地２Ｂとを夫々の周縁部２ａに沿って縫い合わせることにより形成した袋体３を備えている。袋体３の内部にはマチ布４が縫い付けられており、マチ布４によって複数の空間ＳＰが区画形成されている。図３に示すように、複数の空間ＳＰのそれぞれには詰め物８（羽毛、羊毛、及び綿毛に代表される繊維状詰め物）が充填されている。
図２に示すように、マチ布４は、一側端部（第１の表側屈曲片５２Ａ、第２の表側屈曲片５３Ａ）を表側生地２Ａの内面に対してマチ布４の長手方向に沿って糸７により縫い付けられた表側マチ布片５Ａと、一側端部（第１の裏側屈曲片５２Ｂ、第２の裏側屈曲片５３Ｂ）を裏側生地２Ｂの内面に対してマチ布４の長手方向に沿って糸７により縫い付けられた裏側マチ布片５Ｂと、を備えている。そして、表側マチ布片５Ａの他の一側端部５６Ａと裏側マチ布片５Ｂの他の一側端部５６Ｂとは、マチ布４の長手方向に沿って糸７により縫合されている。
【００１０】
表側マチ布片５Ａと表側生地２Ａとの縫合部は、詰め物８の漏出防止構造を備えている。すなわち、表側マチ布片５Ａと表側生地２Ａとの縫合部は、表側サポート布片６Ａを介在させた多重縫合部、すなわち表側マチ布片５Ａと表側サポート布片６Ａと表側生地２Ａとを重ねた状態で縫い付けた構成になっている。
図２の例において、表側マチ布片５Ａは、表側生地２Ａの内表面と交差して配置される表側マチ布片本体５１Ａと、表側マチ布片本体５１Ａの一側端部側の適所にマチ布４の長手方向（糸７の縫製方向）に沿って設けた表側屈曲部５４Ａ（第１の表側屈曲部）と、表側屈曲部５４Ａから一方向へ屈曲させた第１の表側屈曲片５２Ａと、第１の表側屈曲片５２Ａの先端５５Ａ（第２の表側屈曲部）から表側に折り返されて該第１の表側屈曲片５２Ａと並行に延び、且つ第１の表側屈曲片５２Ａよりも幅広な第２の表側屈曲片５３Ａと、を備えている。
そして、表側サポート布片６Ａは、第１の表側屈曲片５２Ａと第２の表側屈曲片５３Ａとの間に配置された状態で表側屈曲部５４Ａに沿って糸７により多重縫合されている。
【００１１】
裏側マチ布片５Ｂと裏側生地２Ｂとの縫合部もまた、詰め物８の漏出防止構造を備えている。すなわち、裏側マチ布片５Ｂと裏側生地２Ｂとの縫合部は、裏側サポート布片６Ｂを介在させた多重縫合部、すなわち裏側マチ布片５Ｂと裏側サポート布片６Ｂと裏側生地２Ｂとを重ねた状態で縫い付けた構成になっている。
図２の例において、裏側マチ布片５Ｂも表側マチ布片５Ａと同様に構成されている。すなわち、裏側マチ布片５Ｂは、裏側生地２Ｂの内表面と交差して配置される裏側マチ布片本体５１Ｂと、裏側マチ布片本体５１Ｂの一側端部側の適所にマチ布４の長手方向（糸７の縫製方向）に沿って設けた裏側屈曲部５４Ｂ（第１の裏側屈曲部）と、裏側屈曲部５４Ｂから一方向へ屈曲させた第１の裏側屈曲片５２Ｂと、第１の裏側屈曲片５２Ｂの先端５５Ｂ（第２の裏側屈曲部）から裏側に折り返されて該第１の裏側屈曲片５２Ｂと並行に延び、且つ第１の裏側屈曲片５２Ｂよりも幅広な第２の裏側屈曲片５３Ｂと、を備えている。
そして、裏側サポート布片６Ｂは、第１の裏側屈曲片５２Ｂと第２の裏側屈曲片５３Ｂとの間に配置された状態で裏側屈曲部５４Ｂに沿って糸７により多重縫合されている。
【００１２】
このように、本実施形態に係る布団１では、第１の表側屈曲片５２Ａと第２の表側屈曲片５３Ａとの間に表側サポート布片６Ａを配置した状態で、第１の表側屈曲片５２Ａ、表側サポート布片６Ａ、及び第２の表側屈曲片５３Ａを多重縫合し、第１の裏側屈曲片５２Ｂと第２の裏側屈曲片５３Ｂとの間に裏側サポート布片６Ｂを配置した状態で、第１の裏側屈曲片５２Ｂ、裏側サポート布片６Ｂ、及び第２の裏側屈曲片５３Ｂを多重縫合している。
その結果、布団１の使用に伴って糸７に張力が掛かり、側生地２（表側生地２Ａ、裏側生地２Ｂ）の縫い目穴２ｂが図４（ａ）に示す状態から図４（ｂ）に示す状態に拡げられたとしてもサポート布片６（６Ａ、６Ｂ）によって縫い目穴２ｂが塞がるため、内部空間ＳＰに充填された詰め物８が袋体３の外部に漏出する不都合を抑制できる。
【００１３】
＜第１実施形態に係る布団１の詳細＞
図１に示す布団１は平面視で四角形状をしており、例えば横方向（幅方向）の長さが１５０ｃｍ乃至２３０ｃｍ、縦方向の長さが２００ｃｍ乃至２３０ｃｍである。
布団１は、表側生地２Ａと裏側生地２Ｂの周縁部２ａ同士を縫い合わせた袋体３を備えている。表側生地２Ａ、及び裏側生地２Ｂは、布団１のサイズに縫い代を加えたサイズの四角形状の布地によって作製されており、適度な通気性及び柔軟性を備えた布地［例えば絹、ウール、綿、合成繊維（ポリエステル、ナイロン等）、又はこれらの混合繊維の布地］が用いられている。
表側生地２Ａ、及び裏側生地２Ｂに適度な通気性及び柔軟性を備えた布地を使用する理由は、布団１の外から外力（例えば、人の体重や積層収納時における他の布団の重量）が加わったときに布団１の破裂を防いだり、寝床内環境（就寝中における布団１の内部温度、及び内部湿度）を最適な範囲（例えば温度：３２℃乃至３４℃、湿度：４５％乃至５５％）に維持するためである。
【００１４】
表側生地２Ａと裏側生地２Ｂとの間には通気性を備えたマチ布４が縫い付けられており、袋体３の内部には複数の空間ＳＰが区画形成されている。図１の布団１において、マチ布４は、横方向に間隔を空けて２つ、縦方向に間隔を空けて３つ縫い付けられている。図１に示す布団１において、マチ布４の高さは、例えば５ｃｍ乃至１５ｃｍである。
袋体３の内部は、各マチ布４によって１２個の空間ＳＰに区画され、図３に示すように、各空間ＳＰには繊維系の詰め物８が充填される。繊維系の詰め物８としては、例えば、羽毛（ダック、グース、マザーグース）、羊毛、綿毛、人工羽毛、又は合成繊維（ポリエステル等）製の綿を用いることができる。
【００１５】
マチ布４は、詰め物８の移動は制限し、且つ通気性を備えた布地によって作製することが望ましい。その理由は、詰め物８の移動を制限することにより、夫々の空間ＳＰ同士の間で詰め物８の充填量が偏る不都合を抑制できるためである。また、マチ布４が通気性を有することにより当該マチ布４を通じて空気が流通し、夫々の空間ＳＰにおいて温度や湿度が均されるためである。
本実施形態において、マチ布４は、視認可能な大きさの網目（例えば１１０メッシュ程度の網目）を有する網目織りの帯状布地によって作製されている。なお、マチ布４は、網目織りの帯状布地以外の布地によって作製してもよい。
【００１６】
図２に示すように、マチ布４は、表側端部（一側端部）が表側生地２Ａの内面に対してマチ布４の長手方向に沿って縫い付けられている表側マチ布片５Ａと、裏側端部（一側端部）が裏側生地２Ｂの内面に対してマチ布４の長手方向に沿って縫い付けられている裏側マチ布片５Ｂとを備えている。なお、表側マチ布片５Ａの反対側の側縁部（他の一側端部）５６Ａと裏側マチ布片５Ｂの反対側の側縁部（他の一側端部）５６Ｂとは、マチ布４の長手方向に沿って糸７により縫合されている。
【００１７】
表側マチ布片５Ａは、表側生地２Ａの内面と交差して配置される表側マチ布片本体５１Ａと、表側マチ布片本体５１Ａの一側端部側の適所、具体的には、表側マチ布片５Ａの一側端縁から、第１の表側屈曲片５２Ａの幅、及び第２の表側屈曲片５３Ａの幅の分だけ、表側マチ布片５Ａの他側端縁側に離隔した位置に、マチ布４の長手方向（糸７の縫製方向）に沿って設けた表側屈曲部５４Ａと、表側屈曲部５４Ａにおいて一方向（布団１の横方向又は布団１の縦方向）に屈曲された第１の表側屈曲片５２Ａと、第１の表側屈曲片５２Ａの先端５５Ａから表側に折り返されて第１の表側屈曲片５２Ａと並行に延び、且つ該第１の表側屈曲片５２Ａよりも幅広な第２の表側屈曲片５３Ａと、を備えている。
【００１８】
第１の表側屈曲片５２Ａと第２の表側屈曲片５３Ａとの間には、表側サポート布片６Ａが配置されている。表側サポート布片６Ａは、例えば第２の表側屈曲片５３Ａと同じ幅の帯形状の布地、又は、第２の表側屈曲片５３Ａの幅よりも狭く第１の表側屈曲片５２Ａよりも広い幅の帯形状の布地によって作製されている。
そして、表側サポート布片６Ａは、第１の表側屈曲片５２Ａと第２の表側屈曲片５３Ａとの間に配置された状態で表側屈曲部５４Ａに沿って糸７により多重縫合されている。
表側サポート布片６Ａは、表側マチ布片５Ａ（マチ布４）よりも目が細かく、繊維系の充填材８が通過しない織り込み密度の布地、例えばダウンプルーフ加工された生地や不織布（フェルト）によって作製されている。
【００１９】
裏側マチ布片５Ｂは、裏側生地２Ｂの内面と交差して配置される裏側マチ布片本体５１Ｂと、裏側マチ布片本体５１Ｂの一側端部側の適所、具体的には、裏側マチ布片５Ｂの一側端縁から、後述する第１の裏側屈曲片５２Ｂの幅、及び第２の裏側屈曲片５３Ｂの幅の分だけ、裏側マチ布片５Ｂの他側端縁側に離隔した位置に、マチ布４の長手方向（糸７の縫製方向）に沿って設けた裏側屈曲部５４Ｂと、裏側屈曲部５４Ｂにおいて一方向（布団１の横方向又は布団１の縦方向）に屈曲された第１の裏側屈曲片５２Ｂと、第１の裏側屈曲片５２Ｂの先端５５Ｂから裏側に折り返されて第１の裏側屈曲片５２Ｂと並行に延び、且つ該第１の裏側屈曲片５２Ｂよりも幅広な第２の裏側屈曲片５３Ｂと、を備えている。
【００２０】
第１の裏側屈曲片５２Ｂと第２の裏側屈曲片５３Ｂとの間には、裏側サポート布片６Ｂが配置されている。裏側サポート布片６Ｂは、例えば第２の裏側屈曲片５３Ｂと同じ幅の帯形状の布地、又は、第２の裏側屈曲片５３Ｂの幅よりも狭く第１の裏側屈曲片５２Ｂよりも広い幅の帯形状の布地によって作製されている。
そして、裏側サポート布片６Ｂは、第１の裏側屈曲片５２Ｂと第２の表側屈曲片５３Ａとの間に配置された状態で裏側屈曲部５４Ｂに沿って糸７により多重縫合されている。
裏側サポート布片６Ｂは、裏側マチ布片５Ｂ（マチ布４）よりも目が細かく、繊維系の充填材８が通過しない織り込み密度の布地、例えばダウンプルーフ加工された生地や不織布（フェルト）によって作製されている。
【００２１】
第１の表側屈曲片５２Ａ、表側サポート布片６Ａ、第２の表側屈曲片５３Ａ、及び表側生地２Ａを多重縫合したこと、及び第１の裏側屈曲片５２Ｂ、裏側サポート布片６Ｂ、第２の裏側屈曲片５３Ｂ、及び裏側生地２Ｂを多重縫合したことにより、布団１の使用に伴って糸７に張力が掛かり、側生地（表側生地２Ａ、裏側生地２Ｂ）の縫い目穴２ｂが図４（ａ）に示す状態から図４（ｂ）に示す状態に拡げられたとしても各サポート布片６Ａ，６Ｂによって縫い目穴２ｂが塞がるため、内部空間ＳＰに充填された詰め物８が袋体３の外部に漏出する不都合を抑制できる。
加えて、各サポート布片６Ａ，６Ｂは、第１の各屈曲片５２Ａ，５２Ｂ、及び第２の各屈曲片５３Ａ，５３Ｂに挟まれているため、この点でも内部空間ＳＰに充填された詰め物８が袋体３の外部に漏出する不都合を抑制できる。
【００２２】
＜マチ布片５、及びサポート布片６を側生地２へ縫い付ける手順について＞
次に、マチ布片５、及びサポート布片６を側生地２へ縫い付ける手順について説明する。なお、表側マチ布片５Ａ、及び表側サポート布片６Ａの表側生地２Ａへの縫い付け手順と裏側マチ布片５Ｂ、及び裏側サポート布片６Ｂの裏側生地２Ｂへの縫い付け手順とは同じである。このため、表側と裏側とを区別せず、単にマチ布片５、及びサポート布片６を側生地２に縫い付ける手順として説明する。
【００２３】
最初にマチ布片５及びサポート布片６を縫い付けた状態の側生地２について説明する。図５（ａ）はマチ布片５及びサポート布片６を縫い付けた状態の側生地２を説明する図、図５（ｂ）は縦マチ布片５Ｖ及び縦サポート布片６Ｖと横マチ布片５Ｗ及び横サポート布片６Ｗの交差部分を説明する拡大斜視図である。
【００２４】
図５（ａ）に示すように、マチ布片５は、四角形状の側生地２に対し、側生地２の横方向（幅方向）に沿って縫い付けられた横マチ布片５Ｗと、側生地２の縦方向に沿って縫い付けられた縦マチ布片５Ｖとを備えている。
同様に、サポート布片６は、側生地２の横方向に沿って配置され、横マチ布片５Ｗとともに側生地２に多重縫合された横サポート布片６Ｗと、側生地２の縦方向に沿って配置され、縦マチ布片５Ｖとともに側生地２に多重縫合された縦サポート布片６Ｖとを備えている。
【００２５】
なお、マチ布片５は、表側生地２Ａに縫い付けられる表側マチ布片５Ａと、裏側生地２Ｂに縫い付けられる裏側マチ布片５Ｂとを備えている。同様に、サポート布片６は、表側生地２Ａに対して表側マチ布片５Ａとともに縫い付けられる表側サポート布片６Ａと、裏側生地２Ｂに対して裏側マチ布片５Ｂとともに縫い付けられる裏側サポート布片６Ｂとを備えている。
従って、マチ布片５は、表側横マチ布片５ＡＷ、表側縦マチ布片５ＡＶ、裏側横マチ布片５ＢＷ、及び裏側縦マチ布片５ＢＶを備えている。同様に、サポート布片６は、表側横サポート布片６ＡＷ、表側縦サポート布片６ＡＶ、裏側横サポート布片６ＢＷ、及び裏側縦サポート布片６ＢＶを備えている。
便宜上、以下の説明において、横マチ布片５Ｗは表側横マチ布片５ＡＷと裏側横マチ布片５ＢＷとを含むものとし、縦マチ布片５Ｖは表側縦マチ布片５ＡＶと裏側縦マチ布片５ＢＶとを含むものとする。同様に、横サポート布片６Ｗは表側横サポート布片６ＡＷと裏側横サポート布片６ＢＷとを含むものとし、縦サポート布片６Ｖは表側縦サポート布片６ＡＶと裏側縦サポート布片６ＢＶとを含むものとする。
【００２６】
横マチ布片５Ｗ、及び横サポート布片６Ｗの組は、側生地２の縦方向に間隔を空けて、例えば側生地２の横辺を４等分する間隔を空けて３組設けられている。また、縦マチ布片５Ｖ、及び縦サポート布片６Ｖの組は、側生地２の横方向に間隔を空けて、例えば側生地２の横辺を３等分する間隔を空けて２組設けられている。
図５（ａ）の例では、先に横マチ布片５Ｗ、及び横サポート布片６Ｗの組が側生地２に縫い付けられており、縦マチ布片５Ｖ、及び縦サポート布片６Ｖの組は横マチ布片５Ｗ、及び横サポート布片６Ｗの組が縫い付けられた側生地２に対して縫い付けられている。
なお、縦マチ布片５Ｖ、及び縦サポート布片６Ｖの組を横マチ布片５Ｗ、及び横サポート布片６Ｗの組よりも先に側生地２に縫い付けてもよい。
【００２７】
図５（ｂ）に示すように、袋体３になる前において、縦サポート布片６Ｖは、縦マチ布片５Ｖのマチ布片本体５１、及び第１の屈曲片５２と第２の屈曲片５３との間に挟み込まれており、マチ布片本体５１と第１の屈曲片５２の境界で縦マチ布片５Ｖの長手方向に沿って糸７により縫い付けられている。袋体３の作製時において、マチ布片本体５１は糸７に沿って起こされる。従って、糸７による縫合箇所は、マチ布片本体５１が起こされることにより屈曲部５４になる。言い換えれば、屈曲部５４は、糸７の縫製方向に沿って延びている。
同様に、横サポート布片６Ｗは、横マチ布片５Ｗのマチ布片本体５１、及び第１の屈曲片５２と第２の屈曲片５３との間に挟み込まれており、マチ布片本体５１と第１の屈曲片５２の境界で横マチ布片５Ｗの長手方向に沿って糸７により縫い付けられている。
袋体３の作製時において、横マチ布片５Ｗのマチ布片本体５１も縫合箇所に沿って起こされるが、縦マチ布片５Ｖのマチ布片本体５１が縫い付けられているため、横マチ布片５Ｗのマチ布片本体５１には縦マチ布４の縫合箇所に沿って切り込み５１ａが形成されている。この切り込み５１ａの形成手順については後で説明する。
【００２８】
＜縫製装置１００について＞
次に、マチ布片５及びサポート布片６を側生地２に縫い付ける縫製装置１００について説明する。図６は縫製装置１００の概略構成図、図７は縫製部１２０の斜視図、図８は案内治具１１０の斜視図、図９はマチ布片及びサポート布片の側生地への縫い付けを説明する斜視図である。
図６に示すように、縫製装置１００は、側生地２が上面に載置される載置台１０１と、載置台１０１の上面に沿って往復移動し、往復移動時と復路移動時の少なくとも一方で、マチ布片５、及びサポート布片６を載置台１０１の上に載置された側生地２に縫い付ける移動縫製ユニット１０２と、を備えている。
移動縫製ユニット１０２は、上糸７Ｕが巻付けられた糸コマ１０３と、下糸７Ｄが巻き付けられたボビン１０４と、ボビン１０４の周囲を周回する釜１０５と、帯状布地によって作製されたマチ布片５が巻き付けられたマチ布片供給リール１０６（マチ布片供給部）と、帯状布地によって作製されたサポート布片６が巻き付けられたサポート布片供給リール１０７（サポート布片供給部）と、マチ布片５の右側端部（一側端部）を折り返し、折り返し部分の内側にサポート布片６を配置して縫製部１２０に案内する案内治具１１０と、案内治具１１０によって案内されたマチ布片５、及びサポート布片６と側生地２とを多重縫合する縫製部１２０と、横マチ布片５Ｗ、及び横サポート布片６Ｗの組と縦マチ布片５Ｖ、及び縦サポート布片６Ｖの組とについて、後の組の縫い付け時に先に縫い付けられた組の一部分を、後の組の縫製方向（具体的には糸７による縫い付け予定箇所）に沿って切断する切断機構１３０とを備えている。
【００２９】
＜縫製部１２０、及び切断機構１３０について＞
図７に示すように、縫製部１２０は、上下方向に移動可能に支持されたフレーム１２１と、フレーム１２１の下端部に装着され、フレーム１２１の下降時において載置台１０１の上に載置された側生地２と、案内治具１１０によって案内されたマチ布片５、及びサポート布片６とを上側から押さえる押さえ金１２２と、上糸７Ｕが針穴に挿通可能であって上下方向に沿って往復移動可能に構成された縫い針１２３とを備えている。
フレーム１２１は、例えば金属製の矩形ブロックによって作製されたフレーム本体１２１ａと、フレーム本体１２１ａの下面から下方に延びた脚部１２１ｂとを備えている。脚部１２１ｂの先端（下端）には押さえ金１２２が取り付けられている。また、フレーム本体１２１ａには、切断機構１３０が固定され、且つ案内治具１１０が着脱自在に取り付けられる。なお、案内治具１１０については後で説明する。
切断機構１３０は、側生地２に縫い付けられたマチ布片５、及び横サポート布片６の組を切断する切断部１３１と、切断部１３１を上下方向に移動させるアクチュエータ１３２と、アクチュエータ１３２に対して切断部１３１を取り付ける取り付け片１３３と、アクチュエータ１３２をフレーム１２１に固定する固定用ステー１３４と、を備えている。
【００３０】
切断部１３１は、金属板によって構成された切断刃１３１ａと、切断刃１３１ａを左右方向から挟んで固定する板形状の固定ホルダ１３１ｂとを備えている。切断刃１３１ａは、縫い針１２３よりも縫製方向の上流側、具体的には糸７による縫製予定箇所の上に配置されている。
アクチュエータ１３２は、アクチュエータ本体１３２ａと、アクチュエータ本体１３２ａ内に一部が収納され、軸方向に進退されるプランジャー１３２ｂとを備えている。本実施形態において、アクチュエータ１３２は、プランジャー１３２ｂがアクチュエータ本体１３２ａの下面から下方に向けて突出した状態で設けられている。従って、プランジャー１３２ｂは、アクチュエータ本体１３２ａに対して上下方向に進退自在である。
取り付け片１３３は、例えば側面から見て略Ｌ字形状の金属製板片によって構成されており、プランジャー１３２ｂの先端（下端）と固定ホルダ１３１ｂの側面との間に固定されている。
固定用ステー１３４は、平面視で略Ｌ字形状の金属製丸棒によって構成されており、一端がフレーム本体１２１ａに固定され、他端がアクチュエータ本体１３２ａに固定されている。
【００３１】
アクチュエータ１３２は、プランジャー１３２ｂをアクチュエータ本体１３２ａに対して進退させることにより、切断部１３１を上下方向に沿って移動させる。
切断部１３１を下側の切断位置に位置付けると、切断刃１３１ａにより、側生地２に縫い付けられたマチ布片５と横サポート布片６の組の一部分を糸７による縫製予定箇所に沿って切断できる。
一方、切断部１３１を上側の退避位置に位置付けることにより、切断刃１３１ａは側生地２に縫い付けられたマチ布片５と横サポート布片６よりも上方に位置する。従って、マチ布片５と横サポート布片６は、切断部１３１が退避位置に位置付けられることにより、切断部１３１によって切断されない。
【００３２】
＜案内治具１１０について＞
図８に示すように、案内治具１１０は、マチ布片５が挿通される第１案内空所ＥＳ１、及びサポート布片６が挿通される第２案内空所ＥＳ２を形成した治具本体１１１と、案内治具１１０をフレーム１２１に取り付けるためのフック部１１２と、を備えている。
【００３３】
治具本体１１１は、略Ｊ字状の第１案内空所ＥＳ１、及び第２案内空所ＥＳ２を区画形成するマチ布片ガイド部１１３と、第２案内空所ＥＳ２を区画形成するサポート布片ガイド部１１３ｃの開放端縁１１３ｄを閉塞する閉塞板１１４と、を備えている。
マチ布片ガイド部１１３は、横断面が略Ｊ字状となるように屈曲された中空部材によって作製されている。すなわち、マチ布片ガイド部１１３は、一方向（例えば左右方向）に延びる１１３ａと、長尺本体１１３ａの一端を湾曲して折り返し（反転させ）、且つ長尺本体１１３ａと並行に延在させた短尺折り返し小片１１３ｂと、長尺本体１１３ａと短尺折り返し小片１１３ｂとの対向部分に設けられたサポート布片ガイド部１１３ｃと、を備えている。
本実施形態において、短尺折り返し小片１１３ｂの横幅Ｗ１１３ｂは、長尺本体１１３ａの横幅Ｗ１１３ａよりも短い。
【００３４】
閉塞板１１４は、例えば倒Ｌ字形状の金属板によって作製されている。この閉塞板１１４は、例えば短尺折り返し小片１１３ｂの先端と長尺本体１１３ａの下面との間に形成されたサポート布片ガイド部１１３ｃの開放端縁１１３ｄを塞ぐように、溶接、接着、ロウ付け、又は半田付け等によって長尺本体１１３ａの下面に取り付けられている。
フック部１１２は、金属棒を屈曲させることによって作製されている。このフック部１１２は、長尺本体１１３ａの上面に沿って設けられ、且つ長尺本体１１３ａの上面に対して溶接、接着、ロウ付け、又は半田付け等によって取り付けられた下側部分１１２ａと、下側部分１１２ａの右端から立ち上がる立ち上がり部分１１２ｂと、立ち上がり部分１１２ｂの上端から左方向に下側部分１１２ａと並行に延びる上側部分１１２ｃと、を備えている。
【００３５】
この案内治具１１０は、図９に示すように、押さえ金１２２や縫い針１２３よりも布片供給方向の上流側に配置されている。
図８に示すように、マチ布片５を第１案内空所ＥＳ１に挿通することによってマチ布片５の右側部分が下側に折り返され、サポート布片６を第２案内空所ＥＳ２に挿通することによってサポート布片６がマチ布片５の上側部分（マチ布片本体５１、第１の屈曲片５２、図５（ｂ）を参照）と下側部分（第２の屈曲片５３、図５（ｂ）を参照）との間に配置される。さらに、サポート布片ガイド部１１３ｃの開放端縁１１３ｄを閉塞板１１４によって閉塞しているので、サポート布片６がマチ布片５の折り返し部分から脱落してしまう不都合を抑制できる。
【００３６】
図９に示すように、マチ布片５、及びサポート布片６を押さえ金１２２によって側生地２の上面に押さえ付け、縫製部１２０によって縫い付けることにより、マチ布片５とサポート布片６と側生地２とを糸７（上糸７Ｕ、下糸７Ｄ）によって多重縫合することができる。
従って、本実施形態の縫製装置１００によれば、マチ布片５とサポート布片６とを重ねて縫製部１２０に供給する工程と、側生地２の内面に対してマチ布片５、及びサポート布片６を多重縫合する工程を一つの工程にまとめることができる。
また、切断機構１３０（切断部１３１）は、横マチ布片５Ｗ、及び横サポート布片６Ｗの組と縦マチ布片５Ｖ、及び縦サポート布片６Ｖの組について、後の組の縫い付け時に先に縫い付けられた組の一部分を切断する。なお、切断機構１３０によるマチ布片５、及び横サポート布片６の組の切断については後述する。
【００３７】
＜縫製装置１００による多重縫合について＞
図１０Ａ乃至図１０Ｆは多重縫合時の説明図である。
図１０Ａ乃至図１０Ｆに示すように、縫い針１２３がマチ布片５よりも上側に位置している状態（図１０Ａの状態）から縫い針１２３が側生地２を貫くと側生地２の下側において上糸７Ｕのループが形成される。上糸７Ｕのループは、ボビン１０４の周囲を回転する釜１０５の先端（剣先）１０５に引っ掛けられる（図１０Ｂの状態）。釜１０５の回転に伴って上糸７Ｕのループが大きくなり（図１０Ｃの状態）、上糸７Ｕのループの内側に下糸７Ｄが配置される（図１０Ｄの状態）。その後、上糸７Ｕのループが剣先１０５から外れ、移動縫製ユニット１０２の自走に伴って上糸７Ｕが引っ張られる（図１０Ｅの状態）。そして、上糸７Ｕと下糸７Ｄの交差部分が重ねられた各布片２、５、６の内部に収まって多重縫合される（図１０Ｆの状態）。
以降は、図１０Ａ乃至図１０Ｅの動作が繰り替えし行われる。
【００３８】
図１０Ａ乃至図１０Ｆの説明から理解されるように、本実施形態の布団１を製造するにあたり、マチ布片５とサポート布片６と側生地２とを多重縫合しているため、多重縫合箇所について必要な厚さを容易に確保できる。その結果、上糸７Ｕと下糸７Ｄの張力調整が容易になり、上糸７Ｕと下糸７Ｄの交差部分を多重縫合箇所の厚みの中に容易に収められる。その結果、縫い付け作業の効率化が図れる。
【００３９】
＜切断機構１３０によるマチ布片５、及びサポート布片６の組の切断について＞
次に、切断機構１３０（切断部１３１）によるマチ布片５、及びサポート布片６の組の切断について説明する。図１１（ａ）乃至図１１（ｅ）は横マチ布片５Ｗ及び横サポート布片６Ｗの組の一部分を切断機構１３０によって切断する工程の説明図である。
本実施形態では、縦マチ布片５Ｖ、及び縦サポート布片６Ｖの組の側生地２への縫い付け時において、先に側生地２へ縫い付けられた横マチ布片５Ｗ、及び横サポート布片６Ｗの組の一部分を切断する場合について説明をする。
【００４０】
図１１（ａ）に示すように、退避位置に位置付けられた切断部１３１は、切断刃１３１ａの下端が横マチ布片５Ｗ及び横サポート布片６Ｗの組よりも上方に位置している。図１１（ｂ）に示すように、移動縫製ユニット１０２（図６を参照）の移動に伴い、切断部１３１が横マチ布片５Ｗ及び横サポート布片６Ｗの組の直前まで移動すると、アクチュエータ１３２（図７を参照）により、切断刃１３１ａの下端が側生地２の表面に当接する切断位置まで切断部１３１が下降される。
図１１（ｃ）に示すように、移動縫製ユニット１０２の移動に伴い、切断部１３１は、横マチ布片５Ｗ及び横サポート布片６Ｗの組を切断する。図１１（ｄ）に示すように、切断刃１３１ａが糸７による縫製位置の直前に到達すると、切断部１３１はアクチュエータ１３２（図７を参照）により、退避位置まで上昇される。その結果、図５（ｂ）に示した切り込み５１ａが、横マチ布片５Ｗ及び横サポート布片６Ｗの組における糸７の直前位置まで形成される。
図１１（ｅ）に示すように、切断部１３１は、横マチ布片５Ｗ及び横サポート布片６Ｗの組における糸７よりも切断方向の上流側の部分については切断せずに通過する。
【００４１】
なお、横マチ布片５Ｗ、及び横サポート布片６Ｗの組の側生地２への縫い付け時において、先に側生地２へ縫い付けられた縦マチ布片５Ｖ、及び縦サポート布片６Ｖの組の一部分を切断する手順は、図１１で説明した手順と同様であることから、詳細な説明は省略する。
以上の説明から判るように、本実施形態の縫製装置１００によれば、縦マチ布片５Ｖ、及び縦サポート布片６Ｖの組を側生地２へ多重縫合する工程と、横マチ布片５Ｗ及び横サポート布片６Ｗの組を部分的に切断する工程とを、一つの工程にまとめることができる。
【００４２】
＜第２実施形態に係る布団１’について＞
前述した第１実施形態に係る布団１では、マチ布片５が備えた第１の屈曲片５２と第２の屈曲片５３との間にサポート布片６を配置していたが、この構成に限定されない。
第２実施形態に係る布団１’は、第２の屈曲片５３（５３Ａ，５３Ｂ）と側生地２（２Ａ，２Ｂ）との間にサポート布片６（６Ａ，６Ｂ）を配置した点が第１実施形態に係る布団１と相違している。
以下、第２実施形態に係る布団１’について説明する。なお、第２実施形態に係る布団１’において、第１実施形態に係る布団１と同じ部材には同じ符号を付して説明を省略する。
第２実施形態に係る布団１’も第１実施形態に係る布団１と同様に、表側生地２Ａと裏側生地２Ｂとを夫々の周縁部２ａに沿って縫い合わせることにより形成した袋体３を備えている。袋体３の内部にはマチ布４が縫い付けられており、マチ布４によって複数の空間ＳＰが区画形成されている。そして、複数の空間ＳＰのそれぞれには繊維系の詰め物８（図３を参照）が充填されている。
【００４３】
図１２は、第２実施形態に係る布団１’のマチ布４周辺の部分拡大断面図である。図１２に示すように、第２実施形態に係る布団１’のマチ布４は、表側マチ布片５Ａと、裏側マチ布片５Ｂとを備えている。
表側マチ布片５Ａは、表側マチ布片本体５１Ａと、表側マチ布片本体５１Ａの一側端部側の適所に、マチ布４の長手方向に沿って設けた表側屈曲部５４Ａと、表側屈曲部５４Ａにおいて一方向に屈曲された第１の表側屈曲片５２Ａと、第１の表側屈曲片５２Ａの先端５５Ａから表側に折り返されて第１の表側屈曲片５２Ａと並行に延び、且つ該第１の表側屈曲片５２Ａよりも幅広な第２の表側屈曲片５３Ａと、を備えている。
同様に、裏側マチ布片５Ｂは、裏側マチ布片本体５１Ｂと、裏側マチ布片本体５１Ｂの一側端部側の適所に、マチ布４の長手方向に沿って設けた裏側屈曲部５４Ｂと、裏側屈曲部５４Ｂにおいて一方向に屈曲された第１の裏側屈曲片５２Ｂと、第１の裏側屈曲片５２Ｂの先端５５Ｂから裏側に折り返されて第１の裏側屈曲片５２Ｂと並行に延び、且つ該第１の裏側屈曲片５２Ｂよりも幅広な第２の裏側屈曲片５３Ｂと、を備えている。
【００４４】
第２実施形態に係る布団１’では、第２の表側屈曲片５３Ａと表側生地２Ａとの間に表側サポート布片６Ａが配置されており、第２の裏側屈曲片５３Ｂと裏側生地２Ｂとの間に裏側サポート布片６Ｂが配置されている。
そして、表側サポート布片６Ａは、表側屈曲部５４Ａに沿って、第１の表側屈曲片５２Ａ、及び第２の表側屈曲片５３Ａとともに表側生地２Ａに多重縫合されている。同様に、裏側サポート布片６Ｂは、裏側屈曲部５４Ｂに沿って、第１の裏側屈曲片５２Ｂ、及び第２の裏側屈曲片５３Ｂとともに裏側生地２Ｂに多重縫合されている。
【００４５】
第１の表側屈曲片５２Ａ、第２の表側屈曲片５３Ａ、表側サポート布片６Ａ、及び表側生地２Ａを多重縫合したこと、及び第１の裏側屈曲片５２Ｂ、第２の裏側屈曲片５３Ｂ、裏側サポート布片６Ｂ、及び裏側生地２Ｂを多重縫合したことにより、布団１’の使用に伴って糸７に張力が掛かり、側生地２（表側生地２Ａ、裏側生地２Ｂ）の縫い目穴２ｂが拡開されたとしても各サポート布片６Ａ、６Ｂによって縫い目穴２ｂが塞がるため、内部空間ＳＰに充填された詰め物８が袋体３の外部に漏出する不都合を抑制できる。
【００４６】
＜案内治具１１０Ａ，１１０Ｂについて＞
図１３は第２実施形態に係る案内治具１１０Ａの斜視図、図１４は第２実施形態に係る別の案内治具１１０Ｂの斜視図、図１５は第２実施形態に係るマチ布片５及びサポート布片６を側生地２への縫い付けを説明する斜視図、図１６は第２実施形態に係るマチ布片５及びサポート布片６を縫い付けた側生地２を説明する部分拡大断面図である。
【００４７】
最初に、第２実施形態に係る布団１の作製時に使用する案内治具１１０Ａについて説明する。
図１３に示すように、案内治具１１０Ａは、マチ布片５が挿通される第１案内空所ＥＳ１を形成した治具本体１１１Ａと、案内治具１１０Ａをフレーム１２１のフレーム本体１２１ａに取り付けるためのフック部１１２と、を備えている。
治具本体１１１Ａは、略Ｊ字状の第１案内空所ＥＳ１を区画形成するマチ布片ガイド部１１３によって構成されている。第１の実施形態で説明した治具本体１１１と比較すると、第２実施形態の治具本体１１１Ａは閉塞板１１４を備えていない点で相違しているが、マチ布片ガイド部１１３については同じ構成である。
すなわち、マチ布片ガイド部１１３は、横断面が略Ｊ字状となるように屈曲された中空部材によって作製され、一方向（例えば左右方向）に延びる長尺本体１１３ａと、長尺本体１１３ａの一端を湾曲して折り返し（反転させ）、長尺本体１１３ａと並行に延在させた短尺折り返し小片１１３ｂとを備えている。
フック部１１２は、第１実施形態の案内治具１１０が備えたフック部１１２と同じ構成であるため、説明を省略する。
【００４８】
次に、案内治具１１０Ｂについて説明する。
図１４に示すように、案内治具１１０Ｂは、マチ布片５が挿通される案内空所ＥＳ１、及びサポート布片６が挿通される案内空所ＥＳ２を形成した治具本体１１１Ｂと、案内治具１１０Ｂをフレーム１２１のフレーム本体１２１ａに取り付けるためのフック部１１２と、を備えている。さらに、治具本体１１１Ｂは、略Ｊ字状の第１案内空所ＥＳ１を区画形成するマチ布片ガイド部１１３と、表側サポート布片６Ａ、第２案内空所ＥＳ２を区画形成するサポート布片ガイド部１１５と、を備えている。
マチ布片ガイド部１１３は、案内治具１１０、及び１１０Ａが備えるマチ布片ガイド部１１３と同じ構成である。すなわち、マチ布片ガイド部１１３は、横断面が略Ｊ字状となるように屈曲された中空部材によって作製され、一方向に延びる長尺本体１１３ａと、長尺本体１１３ａの一端を湾曲して折り返し、長尺本体１１３ａと並行に延在させた短尺折り返し小片１１３ｂとを備えている。
サポート布片ガイド部１１５は、短尺折り返し小片１１３ｂの長尺本体１１３ａとは反対側の外面ＳＦに第２案内空所ＥＳを区画形成する金属製の板状部材であり、例えばガイド本体１１５ａの幅方向両端部１１５ｂ，１１５ｃをマチ布片ガイド部１１３に向けて屈曲させることによって作製される。サポート布片ガイド部１１５は、溶接、接着、ロウ付け、又は半田付け等によってマチ布片ガイド部１１３に固定される。
【００４９】
上述した案内治具１１０Ａ，１１０Ｂは、図１５に示すように、押さえ金１２２や縫い針１２３よりも布片供給方向の上流側に配置されている。
図１３、及び図１５に示すように、マチ布片５を第１案内空所ＥＳ１に挿通することによってマチ布片５の右側部分が下側に折り返される。そして、サポート布片６を短尺折り返し小片１１３ｂ内であってマチ布片５よりも下側に挿通することにより、サポート布片６はマチ布片５の下側部分（第２の屈曲片５３、図１６を参照）よりも下側に配置される。
図１４、及び図１５に示すように、マチ布片５を第１案内空所ＥＳ１に挿通することによってマチ布片５の右側部分が下側に折り返される。そして、サポート布片６を第２案内空所ＥＳ１に挿通することにより、サポート布片６はマチ布片５の下側部分（第２の屈曲片５３、図１６を参照）よりも下側に配置される。
図１５、及び図１６に示すように、マチ布片５、及びサポート布片６を押さえ金１２２によって側生地２の上面に押さえ付け、縫製部１２０によって縫い付けることにより、マチ布片５の第２の屈曲片５３と側生地２との間にサポート布片６を挟んだ状態で、多重縫合を行うことができる。
【００５０】
第２実施形態に係る布団１’においても、布団１の使用に伴って糸７に張力が掛かり、側生地２（表側生地２Ａ、裏側生地２Ｂ）の縫い目穴２ｂが拡開されたとしてもサポート布片６によって縫い目穴２ｂが塞がるため、内部空間ＳＰに充填された詰め物８が袋体３の外部に漏出する不都合を抑制できる。
さらに、第２実施形態に係る布団１’では、側生地２とは反対のサポート布片６の内面側にマチ布片５の第１の屈曲片５２、及び第２の屈曲片５３が配置されているため、この点でも内部空間ＳＰに充填された詰め物８が袋体３の外部に漏出する不都合を抑制できる。
【００５１】
＜変形例について＞
前述の各実施形態では、表側生地２Ａの内面と裏側生地２Ｂの内面との間に跨がってマチ布４を縫い付けた布団１、１’（立体キルト）を例示したが、本発明はこの布団１、１’に限られない。
例えば、表側生地２Ａと裏側生地２Ｂとの間に中布を配置して、表側生地２Ａと裏側生地２Ｂと中布とを夫々の周縁部２ａに沿って縫い合わせることにより、内部空間ＳＰを表側空間ＳＰと裏側空間ＳＰとに区画形成した袋体３を備え、表側空間ＳＰには表側マチ布片５Ａによって小空間ＳＰを区画形成し、裏側空間ＳＰには裏側マチ布片５Ｂによって小空間ＳＰを区画形成した布団１（二層式キルト）であってもよい。
【００５２】
前述の各実施形態に係る布団１、１’は、表側サポート布片６Ａと裏側サポート布片６Ｂの両方を備えていたが、表側サポート布片６Ａと裏側サポート布片６Ｂの少なくとも一方を備えていればよい。
【００５３】
前述の第１実施形態における案内治具１１０は、第１筒状部１１３の本体部１１３ａの右端と重ね合わせ部１１３ｂの右端との間に折り返し部１１３ｃを設けていたが、この構成に限られない。例えば、第１筒状部１１３の本体部１１３ａの左端を開放して右端を塞ぎ、重ね合わせ部１１３ｂの左端を開放して右端を塞ぎ、第１筒状部１１３の本体部１１３ａの左端と重ね合わせ部１１３ｂの左端との間に折り返し部１１３ｃを設けてもよい。
【００５４】
表側サポート布片６Ａ、及び裏側サポート布片６Ｂは、ダウンプルーフ加工された布地や不織布に限られない。例えば、平織りの布地であってもよい。
【００５５】
[本発明の実施態様例と作用、効果のまとめ]
＜第一の実施態様＞
本態様は、表側生地２Ａと裏側生地２Ｂとを夫々の周縁部２ａに沿って縫い合わせることにより形成した袋体３と、袋体３の内部に縫い付けたマチ布４によって複数の空間ＳＰを区画形成し、且つ複数の空間ＳＰのそれぞれに繊維系の詰め物８を充填した布団１、１’であって、マチ布４は、一側端部を表側生地２Ａの内面に対してマチ布４の長手方向に沿って縫い付けられる表側マチ布片５Ａと、一側端部を裏側生地２Ｂの内面に対してマチ布４の長手方向に沿って縫い付けられる裏側マチ布片５Ｂと、を備えると共に、表側マチ布片５Ａと裏側マチ布片５Ｂの他の一側端部同士をマチ布４の長手方向に沿って縫合した構成を備え、表側マチ布片５Ａと表側生地２Ａの内面との縫合部、又は裏側マチ布片５Ｂと裏側生地２Ｂの内面との縫合部のうちの少なくとも一方は、拡開された縫い目穴２ｂからの詰め物８の漏出を防止するサポート布片６を介在させた多重縫合部となっていることを特徴とする。
本態様に係る布団１によれば、表側マチ布片５Ａと表側生地２Ａの内面との縫合部、又は裏側マチ布片５Ｂと裏側生地２Ｂの内面との縫合部のうちの少なくとも一方が多重縫合部となっているため、縫い目穴２ｂが拡開されたとしてもサポート布片６によって縫い目穴２ｂを塞ぐことができ、内部空間ＳＰに充填された詰め物８が袋体３の外部に漏出する不都合を抑制できる。
【００５６】
＜第二の実施態様＞
本態様に係る布団１において、表側マチ布片５Ａ、又は裏側マチ布片５Ｂは、表側生地２Ａの内面、又は裏側生地２Ｂの内面と交差して配置されるマチ布片本体５１Ａ，５１Ｂと、マチ布片本体５１Ａ，５１Ｂの一側端部側の適所にマチ布４の長手方向に沿って設けた屈曲部５４Ａ，５４Ｂ（第１の屈曲部）において一方向に屈曲させた第１の屈曲片５２Ａ，５２Ｂと、第１の屈曲片５２Ａ，５２Ｂの先端５５Ａ，５５Ｂ（第２の屈曲部）から表側、又は裏側に折り返されて第１の屈曲片５２Ａ，５２Ｂと並行に延び、且つ第１の屈曲片５２Ａ，５２Ｂよりも幅広な第２の屈曲片５３Ａ，５３Ｂと、を備え、サポート布片６Ａ，６Ｂは、第１の屈曲片５２Ａ，５２Ｂと第２の屈曲片５３Ａ，５３Ｂとの間に配置された状態で屈曲部５４Ａ、５４Ｂに沿って多重縫合されていることを特徴とする。
本態様に係る布団１によれば、サポート布片６Ａ，６Ｂは、第１の屈曲片５２Ａ，５２Ｂと第２の屈曲片５３Ａ，５３Ｂとの間に配置された状態で屈曲部５４Ａ、５４Ｂに沿って多重縫合されているため、サポート布片６Ａ，６Ｂ、第１の屈曲片５２Ａ，５２Ｂ、及び第２の屈曲片５３Ａ，５３Ｂによって詰め物８の通過が妨げられる。その結果、内部空間ＳＰに充填された詰め物８が袋体３の外部に漏出する不都合を抑制できる。
【００５７】
＜第三の実施態様＞
本態様に係る布団１’において、表側マチ布片５Ａ、又は裏側マチ布片５Ｂは、表側生地２Ａの内面、又は裏側生地２Ｂの内面と交差して配置されるマチ布片本体５１Ａ，５１Ｂと、マチ布片本体５１Ａ，５１Ｂの一側端部側の適所にマチ布４の長手方向に沿って設けた屈曲部５４Ａ，５４Ｂ（第１の屈曲部）において一方向に屈曲させた第１の屈曲片５２Ａ，５２Ｂと、第１の屈曲片５２Ａ，５２Ｂの先端５５Ａ，５５Ｂ（第２の屈曲部）から表側、又は裏側に折り返されて第１の屈曲片５２Ａ，５２Ｂと並行に延び、且つ第１の屈曲片５２Ａ，５２Ｂよりも幅広な第２の屈曲片５３Ａ，５３Ｂと、を備え、サポート布片６Ａ，６Ｂは、第２の屈曲片５３と表側生地２Ａの内面との間、又は第２の屈曲片５３と裏側生地２Ｂの内面との間に配置された状態で屈曲部５４Ａ，５４Ｂに沿って多重縫合されていることを特徴とする。
本態様に係る布団１’によれば、サポート布片６Ａ，６Ｂの内面側にマチ布片５Ａ，５Ｂの第１の屈曲片５２Ａ，５２Ｂ、及び第２の屈曲片５３Ａ，５３Ｂが重なった状態で配置されているため、サポート布片６Ａ，６Ｂに加えて、第１の屈曲片５２Ａ，５２Ｂ、及び第２の屈曲片５３Ａ，５３Ｂによっても詰め物８の通過が妨げられる。その結果、内部空間ＳＰに充填された詰め物８が袋体３の外部に漏出する不都合を抑制できる。
【００５８】
＜第四の実施態様＞
本態様に係る布団１において、表側マチ布片５Ａ、又は裏側マチ布片５Ｂは、通気性を有する帯状布地によって作製され、サポート布片６は、表側マチ布片５Ａ、又は裏側マチ布片５Ｂよりも目の細かい生地によって作製されていることを特徴とする。
本態様に係る布団１によれば、袋体３の内部に区画形成された複数の空間ＳＰ同士の間の通気性を表側マチ布片５Ａや裏側マチ布片５Ｂによって確保でき、且つ空間ＳＰに充填された詰め物８が袋体３の外部に漏出する不都合をサポート布片６によって抑制できる。
【００５９】
＜第五の実施態様＞
本態様に係る布団１において、表側マチ布片５Ａ、又は裏側マチ布片５Ｂは、視認可能な大きさの網目を有する網目織りの帯状布地によって作製され、サポート布片６は、帯状の不織布によって作製されていることを特徴とする。
本態様に係る布団１によれば、袋体３の内部に区画形成された複数の空間ＳＰ同士の間で通気性を確保でき、且つ空間ＳＰに充填された詰め物８が袋体３の外部に漏出する不都合を不織布によって作製されたサポート布片６によって抑制できる。
【００６０】
＜第六の実施態様＞
本態様は、前述の各態様に記載された布団１，１’を構成する表側生地２Ａの内面、又は裏側生地２Ｂの内面に対して表側マチ布片５Ａと表側サポート布片６Ａ、又は裏側マチ布片５Ｂと裏側サポート布片６Ｂとを重ねた状態で多重縫合する縫製部１２０を備えた縫製装置１００であって、表側マチ布片５Ａ、又は裏側マチ布片５Ｂを供給するマチ布片供給リール１０６（マチ布片供給部）と、表側サポート布片６Ａ、又は裏側サポート布片６Ｂを供給するサポート布片供給リール１０７（サポート布片供給部）と、マチ布片供給リール１０６から供給された表側マチ布片５Ａ、又は裏側マチ布片５Ｂとサポート布片供給リール１０７から供給された表側サポート布片６Ａ、又は裏側サポート布片６Ｂとを重ねて縫製部１２０に案内する案内治具１１０、１１０Ａ、１１０Ｂと、を備えたことを特徴とする。
本態様に係る縫製装置１００によれば、表側マチ布片５Ａと表側サポート布片６Ａとを重ねて縫製部１２０に供給する工程と、表側生地２Ａの内面に対して表側マチ布片５Ａ、及び表側サポート布片６Ａを多重縫合する工程を一つの工程にまとめること、又は裏側マチ布片５Ｂと裏側サポート布片６Ｂとを重ねて縫製部１２０に供給する工程と、裏側生地の２Ｂの内面に対して裏側マチ布片５Ｂ、及び裏側サポート布片６Ｂを多重縫合する工程を一つの工程にまとめることができる。
【００６１】
＜第七の実施態様＞
本態様に係る縫製装置１００において、案内治具１１０は、表側マチ布片５Ａ、又は裏側マチ布片５Ｂが挿通される略Ｊ字状の第１案内空所ＥＳ１を区画形成するマチ布片ガイド部１１３を備え、マチ布片ガイド部１１３は、長尺本体１１３ａと、該長尺本体１１３ａの一端を湾曲して折り返して形成した短尺折り返し小片１１３ｂとにより略Ｊ字状の第１案内空所１１３を形成しており、長尺本体１１３ａと短尺折り返し小片１１３ｂとの間には表側サポート布片６Ａ、又は裏側サポート布片６Ｂを挿通してガイドする第２案内空所ＥＳ２としてのサポート布片ガイド部１１３ｃが形成されており、且つサポート布片ガイド部１１３ｃの開放端縁は閉塞板１１４により閉塞されていることを特徴とする。
本態様に係る縫製装置１００によれば、一側縁が折り返された表側マチ布片５Ａ、又は裏側マチ布片５Ｂの間に表側サポート布片６Ａ、又は裏側サポート布片６Ｂを挟んだ状態で、多重縫合を行うことができる。
【００６２】
＜第八の実施態様＞
本態様に係る縫製装置１００において、案内治具１１０Ｂは、表側マチ布片５Ａ、又は裏側マチ布片５Ｂが挿通される略Ｊ字状の第１案内空所ＥＳ１を区画形成するマチ布片ガイド部１１３と、表側サポート布片６Ａ、又は裏側サポート布片６Ｂが挿通される第２案内空所ＥＳ２を区画形成するサポート布片ガイド部１１５と、を備え、マチ布片ガイド部１１３は、長尺本体１１３ａと、該長尺本体１１３ａの一端を湾曲して折り返して形成した短尺折り返し小片１１３ｂとにより略Ｊ字状の第１案内空所ＥＳ１を形成しており、サポート布片ガイド部１１５は、短尺折り返し小片１１３ｂの長尺本体１１３ａとは反対側の外面ＳＦに第２案内空所ＥＳを区画形成することを特徴とする。
本態様に係る縫製装置１００によれば、一側縁が折り返された表側マチ布片５Ａ、又は裏側マチ布片５Ｂと表側生地２Ａの内面、又は裏側生地２Ｂの内面との間に表側サポート布片６Ａ、又は裏側サポート布片６Ｂを挟んだ状態で、多重縫合を行うことができる。
【００６３】
＜第九の実施態様＞
本態様に係る縫製装置１００において、表側マチ布片５Ａ、又は裏側マチ布片５Ｂは、表側生地２Ａの内面、又は裏側生地２Ｂの内面に対して、横方向（第１の縫製方向）に沿って表側横サポート布片６ＡＷ（第１表側サポート布片）、又は裏側横サポート布片６ＢＷ（第１裏側サポート布片）とともに多重縫合される表側横マチ布片５ＡＷ（第１表側マチ布片）、又は裏側横マチ布片５ＢＷ（第１裏側マチ布片）と、表側横マチ布片５ＡＷ及び表側横サポート布片６ＡＷが多重縫合された表側生地２Ａの内面、又は裏側横マチ布片５ＢＷ及び裏側横サポート布片６ＢＷが多重縫合された裏側生地２Ｂの内面に対して、第１の縫製方向と交差する第２の縫製方向に沿って表側縦サポート布片６ＡＶ（第２表側サポート布片）、又は裏側縦サポート布片６ＢＶ（第２裏側サポート布片）とともに多重縫合される表側縦マチ布片５ＡＶ（第２表側マチ布片）、又は裏側縦マチ布片５ＢＶ（第２裏側マチ布片）と、を有し、縫製部１２０よりも第２の縫製方向の上流側には、表側縦マチ布片５ＡＶと表側縦サポート布片６ＡＶの組、又は裏側縦マチ布片５ＢＶと裏側縦サポート布片６ＢＶの組を表側生地２Ａの内面、又は裏側生地２Ｂの内面に対して多重縫合するときに、表側横マチ布片５ＡＷと表側横サポート布片６ＡＷの組の一部分、又は裏側横マチ布片５ＢＷと裏側横サポート布片６ＢＷの組の一部分を、第２の縫製方向に沿って切断する切断部１３１をさらに備えたことを特徴とする。
本態様に係る縫製装置１００によれば、表側縦マチ布片５ＡＶと表側縦サポート布片６ＡＶの組を表側生地２Ａの内面に多重縫合する工程と、表側横マチ布片５ＡＷと表側横サポート布片６ＡＷの組の一部分を第２の縫製方向に沿って切断する工程を一つの工程にまとめること、又は裏側縦マチ布片５ＢＶと裏側縦サポート布片６ＢＶの組を裏側生地２Ｂの内面に多重縫合する工程と、裏側横マチ布片５ＢＷと裏側横サポート布片６ＢＷの組の一部分を第２の縫製方向に沿って切断する工程を一つの工程にまとめることができる。
【符号の説明】
【００６４】
１，１’…布団，２…側生地，２Ａ…表側生地，２Ｂ…裏側生地，２ａ…周縁部，２ｂ…縫い目穴，３…袋体，４…マチ布，５…マチ布片，５Ｖ…縦マチ布片，５Ｗ…横マチ布片，５Ａ…表側マチ布片，５Ｂ…裏側マチ布片，５ＡＷ…表側横マチ布片（第１表側マチ布片），５ＢＷ…裏側横マチ布片（第１裏側マチ布片），５ＡＶ…表側縦マチ布片（第２表側マチ布片），５ＢＶ…裏側縦マチ布片（第２裏側マチ布片），５１Ａ…表側マチ布片本体，５２Ａ…第１の表側屈曲片，５３Ａ…第２の表側屈曲片，５４Ａ…表側屈曲部，５５Ａ…第１の表側屈曲片の先端，５６Ａ…表側マチ布片の他の一側端部，５１Ｂ…裏側マチ布片本体，５２Ｂ…第１の裏側屈曲片，５３Ｂ…第２の裏側屈曲片，５４Ｂ…裏側屈曲部，５５Ｂ…第１の裏側屈曲片の先端，５６Ｂ…他の一側端部，６…サポート布片，６Ｖ…縦サポート布片，６Ｗ…横サポート布片，６Ａ…表側サポート布片，６Ｂ…裏側サポート布片，６ＡＷ…表側横サポート布片（第１表側サポート布片），６ＢＷ…裏側横サポート布片（第１裏側サポート布片），６ＡＶ…表側縦サポート布片（第２表側サポート布片），６ＢＶ…裏側縦サポート布片（第２裏側サポート布片），７…糸，７Ｕ…上糸，７Ｄ…下糸，８…詰め物，１００…縫製装置，１０１…載置台，１０２…移動縫製ユニット，１０３…糸コマ，１０４…ボビン，１０５…釜，１０５ａ…剣先，１０６…マチ布片供給リール，１０７…サポート布片供給リール，１１０，１１０’…案内治具，１１１，１１１’…治具本体，１１２…フック部，１１２ａ…下側部分，１１２ｂ…立ち上がり部分，１１２ｃ…上側部分，１１３…マチ布片ガイド部，１１３ａ…長尺本体，１１３ｂ…短尺折り返し小片，１１３ｃ…サポート布片ガイド部，１１３ｄ…サポート布片ガイド部の開放端縁，１１４…閉塞板，１１５…サポート布片ガイド部，１２０…縫製部，１２１…フレーム，１２１ａ…フレーム本体，１２１ｂ…連結シャフト，１２２…押さえ金，１２３…縫い針，１３０…切断機構，１３１…切断部，１３１ａ…切断刃，１３１ｂ…切断刃ホルダ，１３２…アクチュエータ，１３２ａ…アクチュエータ本体，１３２ｂ…プランジャー，１３３…取り付け片，１３４…ステー，ＳＰ…空間，ＥＳ…案内空所，ＥＳ１…第１案内空所，ＥＳ２…第２案内空所
【要約】
【課題】繊維系の詰め物について布団外部への漏出を抑制する。
【解決手段】マチ布４は、一側端部を表側生地２Ａの内面に対してマチ布４の長手方向に沿って縫い付けられる表側マチ布片５Ａと、一側端部を裏側生地２Ｂの内面に対してマチ布４の長手方向に沿って縫い付けられる裏側マチ布片５Ｂと、を備えると共に、表側マチ布片５Ａと裏側マチ布片５Ｂの他の一側端部同士をマチ布４の長手方向に沿って縫合した構成を備え、表側マチ布片５Ａと表側生地２Ａの内面との縫合部、又は裏側マチ布片５Ｂと裏側生地２Ｂ内面との縫合部のうちの少なくとも一方は、拡開された縫い目穴からの詰め物の漏出を防止するサポート布片６を介在させた多重縫合部となっている。
【選択図】図２【図１】
0006934692.tif 000002
【図２】
0006934692.tif 000003
【図３】
0006934692.tif 000004
【図４】
0006934692.tif 000005
【図５】
0006934692.tif 000006
【図６】
0006934692.tif 000007
【図７】
0006934692.tif 000008
【図８】
0006934692.tif 000009
【図９】
0006934692.tif 000010
【図１０Ａ】
0006934692.tif 000011
【図１０Ｂ】
0006934692.tif 000012
【図１０Ｃ】
0006934692.tif 000013
【図１０Ｄ】
0006934692.tif 000014
【図１０Ｅ】
0006934692.tif 000015
【図１０Ｆ】
0006934692.tif 000016
【図１１】
0006934692.tif 000017
【図１２】
0006934692.tif 000018
【図１３】
0006934692.tif 000019
【図１４】
0006934692.tif 000020
【図１５】
0006934692.tif 000021
【図１６】
0006934692.tif 000022